(57)【特許請求の範囲】
【請求項１】
平板状の表壁部と、
平板状の裏壁部と、
前記表壁部と前記裏壁部とを間隔を隔てて保持し、前記表壁部と前記裏壁部との間にカードの収納部を形成し、前記収納部の側壁を成す側壁部と、
によって、カードを収納可能なカードケースであって、
前記裏壁部における、前記収納部の上辺付近に、吊着治具を装着するための懸吊穴を有する懸吊部が設けられ、
前記懸吊穴が、ベルト状の吊着治具を装着可能な横長穴と、該横長穴の長手方向よりも短い幅で前記横長穴に沿って横長に下方へ切り欠いた下切欠部と、該横長穴の長手方向中央に上方へ凸状に設けられリング状の吊着治具を装着可能な凸状切欠部とを有することを特徴とするカードケース。
【請求項２】
前記下切欠部の幅が、１０．５ｍｍ〜１１．５ｍｍであることを特徴とする請求項１に記載のカードケース。
【請求項３】
前記裏壁部の一部分に設けられた前記懸吊部は、前記裏壁部の他の部分に対して前記収納部と反対側へ突出して形成されたことを特徴とする請求項１又は２に記載のカードケース。
【請求項４】
前記収納部の上辺に位置する前記側壁部を懸吊部とし、当該懸吊部の左右方向中央付近に、吊着治具を装着するための懸吊穴が当該懸吊部の表裏にわたって貫通して設けられていることを特徴とする請求項１に記載のカードケース。
【請求項５】
前記懸吊部の表裏方向の厚さが、３．０ｍｍ〜６．０ｍｍであることを特徴とする請求項３に記載のカードケース。
【請求項６】
前記凸状切欠部は、切欠きの幅が、上部から下部にかけて広く形成されていることを特徴とする請求項１から５のいずれか一項に記載のカードケース。
【請求項７】
前記懸吊穴を第一の懸吊穴とし、前記第一の懸吊穴に前記吊着治具を装着して前記カードケースを吊した場合に、前記第一の懸吊穴と水平方向に並ぶ位置に第二の懸吊穴が設けられてることを特徴とする請求項１から６のいずれか一項に記載のカードケース。
【請求項８】
前記横長穴の長手方向となる長さを幅とし、前記横長穴の長手方向と直交し、前記懸吊穴に前記吊着治具を装着して前記カードケースを吊した場合に上下方向となる長さを高さとし、
前記横長穴の幅が、１２．５ｍｍ〜１３．５ｍｍ、
前記横長穴の高さが、１．５ｍｍ〜１．８ｍｍ、
前記凸状切欠部における凸状部の曲率半径が１．０ｍｍ〜２．０ｍｍ、
前記凸状切欠部の高さが１．５ｍｍ〜２．５ｍｍ、
前記下切欠部の幅が、１０．５ｍｍ〜１１．５ｍｍ、
前記下切欠部の高さが、０．５ｍｍ〜１．５ｍｍ、
であることを特徴とする請求項１，４〜７のいずれか一項に記載のカードケース。
【請求項９】
前記横長穴の長手方向となる長さを幅、前記横長穴の長手方向と直交し、前記懸吊穴に前記吊着治具を装着して前記カードケースを吊した場合に上下方向となる長さを高さとし、
前記横長穴の幅が、１２．８ｍｍ〜１３．２ｍｍ、
前記横長穴の高さが、１．８ｍｍ〜２．２ｍｍ、
前記凸状切欠部における凸状部の曲率半径が１．３ｍｍ〜１．７ｍｍ、
前記凸状切欠部の高さが１．８ｍｍ〜２．２ｍｍ、
前記下切欠部の幅が、１０．８ｍｍ〜１１．２ｍｍ、
前記下切欠部の高さが、０．８ｍｍ〜１．２ｍｍ、
であることを特徴とする請求項１，４〜７のいずれか一項に記載のカードケース。
【請求項１０】
前記横長穴と前記凸状切欠部との接続部分の曲率半径が０．２ｍｍ〜１．０ｍｍであることを特徴とする請求項８又は９に記載のカードケース。
【発明の詳細な説明】
【技術分野】
【０００１】
本発明は、ＩＤカード等を収納するカードケースに関する。
【背景技術】
【０００２】
近年、社会における機密保持に対する関心が高まり、セキュリティに対する取り組みが強化されている。その一環として、勤怠管理や訪問客のエリア別入場制限など、ＩＤカードによるセキュリティ管理が求められるようになった。そして、ＩＤカードはその性質上、携帯性や視認性が要求されている。その結果、ＩＤカードを周囲から見え易いように携帯可能なカードケースの需要が高まっている。
【０００３】
特に、外部からの力の作用や衝撃に強いハードタイプのカードケースの需要が高まっている。このハードタイプのカードケースは、カードの保護能力が高いだけでなく、複数枚のカードを収納可能にし、カードの出し入れも容易である。
【０００４】
このようなハードタイプのカードケースとしては、例えば、図１４に示したようなものが挙げられる。この従来のカードケース１００は、開口部１００ａからカードを出し入れし、カードケース１００の裏壁面１０３に設けられた凸部１０４に形成された懸吊穴１０４ａに、ベルトやリング、ナスカンといった吊着治具（不図示）を通して首から吊るして使用する。
【０００５】
しかしながら、このカードケース１００では、カードケースの裏壁面１０３に凸部１０４を設けているために、形状が複雑で体積が大きくなり、重量も重くなり、梱包や移動の際に必要なスペースが大きくなっていた。また、カードケース１００を成形するために必要な樹脂材料の量も多くなり、非経済的であった。また、構造が複雑であるために、金型の構成も複雑になってしまっていた。さらに、使用時にはカードケース１００の裏壁面１０３のさらに後側で吊るされるので、使用時にカードケースが前傾姿勢になり、カードの視認性が悪くなっていた。
【０００６】
上記のような構造にせざるを得ない理由の一つは、懸吊穴が形成された懸吊部材が、カードを出し入れするための開口部の上方またはその近傍に配置されると、懸吊部材自体あるいは、使用時に懸吊穴に装着される吊着治具が邪魔になって、カードの出し入れが著しく困難になることであった。
【０００７】
仮に、このような不都合を避けるために、カードの出し入れのための開口部を、使用状態におけるカードケースの上面でなく側面に形成したとすると、使用者の運動による衝撃や振動でカードがカードケースから脱落し易くなる可能性があった。そして、カードがカードケースから脱落しないように、カードケース壁面の内側に突起を設ける対策が必要になったが、この対策を行った場合には、カードの出し入れの際に、突起とカードの表面とが擦れるため、カードを傷めることがあった。
【０００８】
また、ハードタイプに限らず、柔軟な樹脂フィルムを袋状に貼り合わせて形成したソフトタイプのカードケースも用いられている。このようなソフトタイプのカードケースとしては、例えば、図１５に示したようなものが挙げられる。図１５（Ａ）に示すように、カードケース２００は、ほぼ矩形の外形形状であって、下辺２００ｂ、左辺２００ｌ、右辺２００ｒの３辺がシールされ、上辺２００ａがカードを出し入れするための開口となっている。
【０００９】
上辺２００ａの左右方向中央部には、上方へ台形に突出した懸吊部２１０を具備し、懸吊部２１０の中央に横長の懸吊穴２１０ａを有している。
【００１０】
この従来のカードケース２００は、図１５（ｂ）に示すように、上辺２００ａの懸吊部２１０に設けられた懸吊穴２１０ａに、ベルトやリング、ナスカンといった吊着治具２９０を通して首から吊るして使用する。
【００１１】
しかしながら、横長の懸吊穴２１０ａにナスカン２９０を通して使用した場合、ナスカン２９０が懸吊穴２１０ａの端に位置すると、左右のバランスが崩れて、カードケース２００が傾いてしまい、視認性が悪くなってしまう。
【先行技術文献】
【特許文献】
【００１２】
【特許文献１】特開２０１２−８８４５８号公報
【特許文献２】特開２００９−２６８７１４号公報
【特許文献３】特開２００６−２３５７９３号公報
【発明の概要】
【発明が解決しようとする課題】
【００１３】
本発明は、上記したような従来技術の問題を鑑みて成されたものであり、その目的は、カードが好適に保護され、且つ、カードを視認性の良い状態で保持することができる技術を提供することである。
【課題を解決するための手段】
【００１４】
上記目的を達成するための本発明は、平板状の表壁部及び裏壁部と、リブ状の側壁部とによって、収納部を形成し、裏壁部における、収納部の上辺付近に、懸吊穴を有する懸吊部が設けられ、この懸吊穴が、ベルト状の吊着治具を装着可能な横長穴と、下方に切り欠いた下切欠部と、該横長穴の長手方向中央に上方へ凸状に設けられた凸状切欠部とを有することを最大の特徴とする。
【００１５】
より詳しくは、平板状の表壁部と、
平板状の裏壁部と、
前記表壁部と前記裏壁部とを間隔を隔てて保持し、前記表壁部と前記裏壁部との間にカードの収納部を形成し、前記収納部の側壁を成す側壁部と、
によって、カードを収納可能なカードケースであって、
前記裏壁部における、前記収納部の上辺付近に、吊着治具を装着するための懸吊穴を有する懸吊部が設けられ、
前記懸吊穴が、ベルト状の吊着治具を装着可能な横長穴と、該横長穴の長手方向よりも短い幅で下方に切り欠いた下切欠部と、該横長穴の長手方向中央に上方へ凸状に設けられリング状の吊着治具を装着可能な凸状切欠部とを有することを特徴とする。
【００１６】
これによれば、横長穴の幅や高さをベルト状の吊着治具が貫通するのに必要十分なサイズに合わせて形成しても、ベルトの固定具は、下切欠部が形成された部分を通ることができるため、貫通可能であり、且つベルトがサイズの合った横長穴と接続されるためカードケースが安定的に懸吊される。ここで、ベルトが貫通するのに必要十分なサイズとは、接続が想定されるベルトに適した所定範囲の幅及び高さであり、例えばベルトに対して±１ｍｍの幅及び高さである。更に、リングやナスカン等の湾曲した吊着治具であっても下切欠部が形成された部分を通すことで、容易に貫通させることができ、且つ、リング状で幅狭の吊着治具が凸状切欠部に嵌るため、カードケースがカードの法線の周りに傾くことを抑制できる。
【００１７】
また、本発明においては、前記裏壁部の一部分に設けられた前記懸吊部は、前記裏壁部の他の部分に対して前記収納部と反対側へ突出して形成されてもよい。
即ち、本発明においては、懸吊部が裏壁部の他の部分と比べて後側に突出して形成されているため、吊着治具を装着した状態でも、カードケースの開口部からカードを取り出す又は開口部へカードを挿入する際にカードと吊着治具との干渉が少なく、カードの出し入れを円滑に行うことが可能である。
【００１８】
また、本発明においては、前記表壁部又は前記裏壁部と直交する方向において、前記側壁部が前記裏壁部より裏側へ突出して形成されてもよい。
即ち、本発明においては、表壁部又は裏壁部と直交する方向（表裏方向）において、側壁部が前記裏壁部より裏側へ突出して形成されていることにより、カードケースの重心が後側へ寄り、懸吊部が後側に突出して形成されてもカードケースの前傾が抑えられ、視認性を良好に維持できる。また、複数のカードケースを表壁部と裏壁部とが接するように重ねて箱等に収納する場合でも、側壁部が懸吊部と同様に後側へ突出しているため、懸吊部が他のカードケースの表壁部と接して潰れることがなく、緩衝材を別に用意しなくても重ねて収納でき、収納性が良い。
【００１９】
また、本発明においては、前記表壁部及び前記裏壁部における、前記収納部の上辺付近に、前記懸吊部が設けられ、
前記懸吊穴が、前記表壁部及び前記裏壁部を貫通して設けられてもよい。
即ち、本発明においては、懸吊穴が、表壁部から裏壁部にかけて長く形成されているため、幅狭の吊着治具を接続した場合でも、凸状切欠部と吊着治具との接触面積が大きくなり、カードケースが安定的に懸吊される。
【００２０】
また、本発明においては、前記凸状切欠部は、切欠きの幅が、上部から下部にかけて広くなるように形成されても良い。
即ち、本発明においては、凸状切欠部の切欠きの幅が、上部から下部にかけて広くなるように形成されている。このように凸状切欠部の横長穴側の開口が広く形成されていることで、リング状で幅狭の吊着治具が嵌り込み易くなり、吊着治具２０が凸状切欠部から外れて横長穴内に位置し、カードケースがカードの法線の周りに傾いた状態となっても、カードケースの揺れなどによって、カードケースと吊着治具が相対的に移動し、吊着治具が凸状切欠部に再び嵌り、カードケースの傾きが是正される。
【００２１】
また、本発明においては、前記懸吊穴を第一の懸吊穴とし、前記第一の懸吊穴に前記吊着治具を装着して前記カードケースを吊した場合に、前記第一の懸吊穴と水平方向に並ぶ位置に第二の懸吊穴が設けられてもよい。
即ち、本発明においては、複数の懸吊穴を並設し、この複数の懸吊穴に複数の吊着治具を接続することで、カードケースが鉛直線周りに回転して裏向きとなり、カード表面を視認できなくなることを抑制できる。また、数の吊着治具を接続することで、万一、吊着治具の一つが破断してもカードを紛失する等の事態を避けることができる。
【００２２】
また、本発明においては、前記懸吊穴に前記吊着治具を装着して前記カードケースを吊した場合に、前記収納部が上方に開口するように形成されてもよい。
また、本発明においては、前記懸吊穴に前記吊着治具を装着して前記カードケースを吊した場合に、前記収納部が側方に開口するように形成されてもよい。
【００２３】
また、本発明においては、前記横長穴の長手方向の幅が、１２．５ｍｍ〜１３．５ｍｍであり、前記凸状切欠部における凸状部の曲率半径が２．５ｍｍ〜３．５ｍｍであってもよい。更に、下切欠部の幅Ｌ２を横長穴の幅Ｌ１より狭く、１０．５ｍｍ〜１１．５ｍｍ
とし、凸状切欠部を除く横長穴と横長穴の高さＬ３を３ｍｍ〜４ｍｍとしてもよい。
【００２４】
即ち、本発明においては、これらの寸法をとることにより、吊着治具が、リング状の幅狭のものであっても、吊着治具が凸状切欠部に確実に嵌り、カードケースを使用者の首に吊した状態で、カードケースがカードの法線の周りに傾くことを抑制できる。
【００２５】
なお、本発明における課題を解決するための手段は、可能な限り組み合わせて使用することができる。
【発明の効果】
【００２６】
本発明によれば、カードケースにおいて、カードが好適に保護され、且つ、カードを視認性の良い状態で保持することができる。
【図面の簡単な説明】
【００２７】
【図１】本発明の実施例１に係るカードケースの六面図である。
【図２】本発明の実施例１に係るカードケースの斜視図である。
【図３】本発明の実施例１に係るカードケースに吊着治具を装着した状態を示す斜視図である。
【図４】本発明の実施例１に係る懸吊部の斜視図である。
【図５】図１の線Ａにおける断面図である。
【図６】図１の線Ｂにおける断面図である。
【図７】本発明の実施例１に係る懸吊穴の拡大図である。
【図８】本発明の実施例１に係る懸吊部の変形例を示す図である。
【図９】本発明の実施例２に係るカードケースの六面図である。
【図１０】本発明の実施例２に係るカードケースの斜視図である。
【図１１】本発明の実施例２に係るカードケースに吊着治具を装着した状態を示す斜視図である。
【図１２】本発明の実施例２に係るカードケースの懸吊部に吊着治具を装着した状態を示す部分断面図である。
【図１３】変形例に係る凸状切欠部を示す図である。
【図１４】従来のカードケースの例を示す図である。
【図１５】従来のカードケースの例を示す図である。
【発明を実施するための形態】
【００２８】
以下に図面を参照して、この発明を実施するための最良の形態を例示的に詳しく説明する。
＜実施例１＞
本実施例に係るカードケース１は、一枚または複数枚のカードを収納可能なカードケースである。図１には、本実施例に係るカードケース１の六面図を示す。図１（ａ）はカードケース１の正面図、図１（ｂ）はカードケース１の底面図、図１（ｃ）はカードケース１の裏面図である。同じく、図１（ｄ）は上面図、図１（ｅ）は左側面図、図１（ｆ）は右側面図である。本実施例１では、図１（ａ）に示す上下方向、左右方向を基準として方向の説明をする。また、図１（ａ）の奥行方向を表裏方向とする。このカードケース１は、大まかには、透明なプラスチック製の表壁面２及び裏壁面３と、表壁面２と裏壁面３の左右側面側及び底面側の周縁に挟まれる形で設けられ、収納されたカードの側面に対向する側壁面を形成するリブ部４とにより構成されている。本実施例のカードケース１においては、上記した表壁面２、裏壁面３及びリブ部４によってカードを収納する空間、即ち収納部２３が形成されている。そして、上面図１（ｄ）に示すように、カードケース１の上面側が開放し開口部１ａが形成されている。なお、ここで表壁面２は表壁部に、裏壁面３は裏壁部に相当する。また、リブ部４は側壁部に相当する。
【００２９】
リブ部４は、その厚みが、収納可能なカードの合計厚み以上に設定されている。すなわち、このリブ部４の厚みを変更することにより収納できるカードの枚数を増減させることが可能である。また、開口部１ａにおいて、裏壁面３は表壁面２より上下方向に長く（高く）形成されており、カードを開口部１ａから挿入する際のガイドの役割を果たしている。また、開口部１ａにおける、裏壁面３が表壁面２より長く形成されている部分には、左右二箇所の押し込み凹部３ｂが形成されている。
【００３０】
この押し込み凹部３ｂの最も深い部分は、カードケース１の上方からカードを挿入した場合に、カードの上端がくる高さより若干低くなるように形成されている。また、表壁面２の、上述の押し込み凹部３ｂの最も深い部分に対向する場所にも、押し込み凹部２ｂが形成されている。これにより、カードをカードケース１に上方から挿入する場合に、例えば両手の親指で押し込むことで、しっかりとカードの下端が底面側のリブ部４に当接するまで挿入することが可能になっている。
【００３１】
裏壁面３の底面側の両脇の２箇所には押し出し穴としての穴部３ａが形成されている。この穴部３ａは、カードをカードケース１から取り出す際に、指で直接カードに触れ、押し出すためのものである。例えば両手または片手の親指でカードを上面側に押し出すことで、円滑にカードを開口部１ａから排出することが可能になっている。この穴部３ａは、親指を挿入することができ、且つ上方にある程度の移動距離が確保できる大きさであれば良い。
【００３２】
また、カードケース１は、図１（ａ）におけるリブ部４の左側面側に設けられ、リブ部４の内側に突出した弾性部材５を備えている。弾性部材５はゴム製であり、収納されたカードの左側面をカードの右側面側に押圧する。弾性部材５によって押圧されたカードは、右側面側のリブ部４と弾性部材５との間に狭持されて、カードケース１内に安定して保持される。弾性部材５は円柱形であり、その中心の穴部５ａに表壁面２及び裏壁面３に固定された軸が貫通しており、軸を中心として回転自在である。
【００３３】
なお、本実施例のカードケース１の材質としては、具体的にはポリプロピレンを用いている。従って、カードケースが他のものにぶつかった際の音を小さくすることができ、軽量で耐久性も高くすることができる。しかしながら、材質は特に、ポリプロピレンに限定されるものではない。例えば、耐久性や重量、視認性の面から、透明な合成樹脂が望ましいが、これに限らず、不透明な合成樹脂や金属、皮革をカードケース１の一部又は全部に用いてもよい。
【００３４】
次に、図１〜図７を用いて、カードケース１をストラップなどで懸吊するための構成について説明する。ここで、図２は、カードケース１の斜視図である。図３は、カードケース１にベルト状の吊着治具２０及びリング３０が接続された状態を示す斜視図、図４は、懸吊部１０の斜視図、図５は図１の線Ａにおける断面図、図６は図１の線Ｂにおける断面図、図７は懸吊穴１０ｃの拡大図である。
【００３５】
懸吊穴１０ｃは、カードケース１にストラップを装着するための吊着治具２０がベルト状のものである場合に、当該ベルト２１が貫通できるような横長のベルト貫通部１０ｄと、吊着治具が紐や金属のリング、ナスカン等である場合に、紐、リングやナスカンが貫通可能な凸状のリング貫通部１０ｅと、前記ベルト２１をループ状に固定するためのスナップ等の固定具２２を貫通可能とするため、或はリングやナスカン等の湾曲した吊着治具を容易に貫通させるためのクリアランス部１０ｆとが形成されている。リング貫通部１０ｅは、ベルト貫通部１０ｄの長手方向中央部に形成されている。また、リング貫通部１０ｅは、正面図における形状が半円或は半円の下端を垂直に延伸した形状とし、幅狭の吊着治
具が嵌り込む形状としている。よって、吊着治具が、ベルト状の幅広のものであっても、リング状の幅狭のものであっても、カードケース１を使用者の首に吊した状態で、カードの法線の周りに傾くことを抑制できる。ここで、ベルト貫通部１０ｄは横長穴に、リング貫通部１０ｅは凸状切欠部に、クリアランス部１０ｆは下切欠部に相当する。
【００３６】
この懸吊部１０は、裏壁面３の一部分（上部）３１に設けられ、裏壁面３の他の部分３２に対して収納部と反対側、即ち表裏方向の裏側へ突出して形成されている。この突出した懸吊部１０は、裏壁面３の上部３１の左右方向中央部に設けられ、ベルト状又はリング状の吊着治具２０が接続される第一懸吊部１１と、当該第一懸吊部１１の左右両脇に設けられ、ボールチェーン等が接続される第二懸吊部１２とを有する。第一懸吊部１１は、裏壁面３の他の部分３２から裏面側の斜め上方へ延設された傾斜面１１ａと、傾斜面１１ａの先端から裏壁面３の他の部分３２と平行に上方へ延設された懸吊面１１ｂと、傾斜面１１ａ及び懸吊面１１ｂの側部に設けられ、傾斜面１１ａ及び懸吊面１１ｂを補強するリブ１１ｃを具備している。
【００３７】
また、第二懸吊部１２は、それぞれ他の部分３２から裏面側の斜め上方へ延設された傾斜面１２ａと、傾斜面１２ａの先端から裏壁面３の他の部分３２と平行に上方へ延設された懸吊面１２ｂと、傾斜面１２ａ及び懸吊面１２ｂの側部に設けられ、傾斜面１２ａ及び懸吊面１２ｂを補強するリブ１２ｃを具備している。
【００３８】
リブ１１ｃ，１２ｃは、正面１１１，１２１が、裏壁面３の収納部側の面、即ち裏壁面３の正面と面一になっており、この正面１１１，１２１と連なる上部の面１１２，１２２が、正面１１１，１２１の上端から懸吊面１１ｂ、１２ｂの上端にかけて斜め上方へ向けて架け渡された傾斜面となっている。
【００３９】
ここで懸吊面１１ｂには、懸吊穴１０ｃが設けられ、懸吊面１２ｂには、懸吊穴１０ｑが設けられている。即ち、懸吊穴１０ｃ，１０ｑが、裏壁面３の懸吊部１０以外の面と比べて表裏方向の裏側、換言するとカードケース１の後側に位置するため、懸吊穴１０ｃ，１０ｑに吊着治具２０を通して懸吊する位置が、裏壁面３の後側となっている。ここで、懸吊穴１０ｃは第一の懸吊穴に相当し、懸吊穴１０ｑは第一の懸吊穴の水平方向（左右方向）に並ぶように設けられた第二の懸吊穴に相当する。
【００４０】
また、本実施例のカードケース１では、図５、図６に示すように、リブ部４の表裏方向の長さが、収納部２３を挟む表壁面２から裏壁面３までの表裏方向の長さ（厚さ）よりも長く形成され、リブ部４の後端面４１が裏壁面３の後側となっている。
【００４１】
そして、懸吊穴１０ｃは、ベルト貫通部１０ｄの長手方向（左右方向）の幅（長さ）Ｌ１（図７）を１２．５ｍｍ〜１３．５ｍｍ、リング貫通部１０ｅの凸状部の曲率半径φ１を２．５ｍｍ〜３．５ｍｍとしている。また、クリアランス部１０ｆの幅Ｌ２をベルト貫通部１０ｄの幅Ｌ１より狭く、１０．５ｍｍ〜１１．５ｍｍとし、リング貫通部１０ｅを除くベルト貫通部１０ｄとクリアランス部１０ｆの高さＬ３を３ｍｍ〜４ｍｍ、ベルト貫通部１０ｄの高さＬ４を１．５ｍｍ〜２．５ｍｍとしている。
【００４２】
以上、説明したとおり、本実施例におけるカードケース１によれば、一枚または複数枚のカードを収納することができるとともに、収納するカードの厚みの合計値が収納部２３の厚み以下であれば、カードを厚み方向に押圧する力は作用しない。また、弾性部材５によって、収納されたカードの側面を押圧して反対側のリブ部４と弾性部材５とでカードの側面を挟んで固定する。よって、カードの表面に組み込まれたＩＣチップなどを傷つけることなく、カードを安定して収納することができる。一般的なカードケースでは、カードを安定して保持するために、カードケース内にカード表面を抑えるため突起を備えている
場合もあるが、本実施例ではそのような突起を必要としないので、カード表面を傷めることもない。
【００４３】
また、本実施例１のカードケース１は、懸吊穴１０ｃが、ベルト状の吊着治具を装着可能なベルト貫通部１０ｄと、該横長穴の長手方向よりも短い幅で下方に切り欠いたクリアランス部１０ｆと、有該横長穴の長手方向中央に上方へ凸状に設けられリング状の吊着治具を装着可能なリング貫通部１０ｅとを有する。このため、ベルト貫通部１０ｄの幅や高さを前記ベルト２１が貫通するのに必要十分なサイズに合わせて形成しても、前記ベルト２１の固定具２２は、クリアランス部１０ｆが形成された部分を通るため、貫通可能であり、且つベルト２１がサイズの合ったベルト貫通部１０ｄと接続されるためカードケース１が安定的に懸吊される。ここで、ベルト２１が貫通するのに必要十分なサイズとは、接続が想定されるベルトに適した所定範囲の幅及び高さであり、例えばベルトに対して±１ｍｍの幅及び高さである。更に、リングやナスカン等の湾曲した吊着治具２０であってもクリアランス部１０ｆが形成された部分を通すことで、容易に貫通させることができ、且つ、リング状で幅狭の吊着治具２０がリング貫通部１０ｅに嵌るため、カードケース１がカードの法線の周りに傾くことを抑制できる。
【００４４】
また、懸吊部１０は、裏壁面３の他の部分３２と比べて後側に突出して形成されているため、吊着治具２０を装着した状態でも、カードケース１の開口部１ａからカードを取り出す又は開口部１ａへカードを挿入する際にカードと吊着治具２０との干渉が少なく、カードの出し入れを円滑に行うことが可能である。
【００４５】
そして、表壁面２又は裏壁面３と直交する方向（表裏方向）において、リブ部４が前記裏壁面３より裏側へ突出して形成されていることにより、カードケース１の重心が後側へ寄り、懸吊部１０が後側に突出して形成されてもカードケース１の前傾が抑えられ、視認性を良好に維持できる。また、複数のカードケース１を表壁面２と裏壁面３とが接するように重ねて箱等に収納する場合でも、リブ部４が懸吊部１０と同様に後側へ突出しているため、懸吊部１０が他のカードケース１の表壁面２と接して潰れることがなく、緩衝材を別に用意しなくても重ねて収納でき、収納性が良い。
【００４６】
そして、懸吊穴１０ｃは、ベルト貫通部１０ｄの長手方向（左右方向）となる長さを幅と称し、前記横長穴の長手方向と直交し、前記懸吊穴に前記吊着治具を装着して前記カードケースを吊した場合に上下方向となる長さを高さと称した場合に、以下の寸法とする。
【００４７】
ベルト貫通部１０ｄの幅（長さ）Ｌ１（図７）は、１２．５ｍｍ〜１３．５ｍｍ、好ましくは１２．８ｍｍ〜１３．２ｍｍ、本例では１３．０ｍｍとする。
また、ベルト貫通部１０ｄの高さＨ１は、１．５ｍｍ〜２．５ｍｍ、好ましくは１．８ｍｍ〜２．２ｍｍ、本例では２．０ｍｍとする。
ベルト貫通部１０ｄの長手方向中央に設けたリング貫通部１０ｅの凸状部の曲率半径φ１は、１．０ｍｍ〜２．０ｍｍ、好ましくは１．３ｍｍ〜１．７ｍｍ、本例では１．５ｍｍとする。
【００４８】
更に、リング貫通部１０ｅの高さＨ０は、１．５ｍｍ〜２．５、好ましくは１．８ｍｍ〜２．２ｍｍ、本例では２．０ｍｍとする。
これにより、吊着治具２０が、リング状の幅狭のものであっても、吊着治具２０がリング貫通部１０ｅに嵌り、カードケース１を使用者の首に吊した状態で、カードケース１がカードの法線の周りに傾くことを抑制できる。
【００４９】
更に、クリアランス部１０ｆの幅Ｌ２をベルト貫通部１０ｄの幅Ｌ１より狭く、１０．５ｍｍ〜１１．５ｍｍ、好ましくは１０．８ｍｍ〜１１．２ｍｍ、本例では１１ｍｍとす
る。
【００５０】
また、クリアランス部１０ｆの高さＨ２は、０．５ｍｍ〜１．５ｍｍ、好ましくは０．８ｍｍ〜１．２ｍｍ本例では１．０ｍｍとする。
【００５１】
これにより、吊着治具２０を通すのに必要十分な穴を確保しつつ無駄な遊びを無くして、リング状の幅狭の吊着治具２０を接続した場合でも、リング状の吊着治具２０がリング貫通部１０ｅから逸脱してカードケース１がカードの法線の周りに傾くことを抑制できる。
【００５２】
また、開口部１ａにおいて、懸吊部１０は表壁面２より高い位置に形成され、懸吊部１０のリブ１１ｃ，１２ｃは、正面１１１，１２１が、裏壁面３の収納部側の面と面一になっており、この正面１１１，１２１と連なる上部の面１１２，１２２が、斜め上方へ向けて延設された傾斜面となっており、カードを開口部１ａから挿入する際のガイドとしても機能する。
【００５３】
懸吊穴１０ｑの間隔Ｌ３は、２７．０ｍｍ〜３１．０ｍｍ、好ましくは２８．０ｍｍ〜３０．０ｍｍ、本例では２９．２ｍｍとする。また、懸吊穴１０ｑの曲率半径φ２は、１．０ｍｍ〜２．０ｍｍ、好ましくは１．３ｍｍ〜１．７ｍｍ、本例では１．５ｍｍとする。
【００５４】
なお、上記実施例１では、懸吊穴１０ｃが形成された第一懸吊部１１とは別に、懸吊穴１０ｑが形成された第二懸吊部１２を設けたが、図８に示すように、一体の懸吊部１０に懸吊穴１０ｃと、該懸吊穴１０ｃの両脇に懸吊穴１０ｑを設けた構成としても良い。なお、懸吊穴１０ｑは、二カ所に限らず、何れか一方のみに設けても良い。
【００５５】
＜実施例２＞
本実施例２は、前述の実施例１と比べて、懸吊部１０の構成が異なっている。なお、その他の構成は同じであるため、同一の要素には同符号を付す等して再度の説明を省略する。
【００５６】
図９には、本実施例２に係るカードケース１Ｘの六面図を示す。図９（ａ）はカードケース１Ｘの正面図、図９（ｂ）はカードケース１Ｘの底面図、図９（ｃ）はカードケース１Ｘの裏面図である。同じく、図９（ｄ）は上面図、図９（ｅ）は左側面図、図９（ｆ）は右側面図である。このカードケース１Ｘは、大まかには、透明なプラスチック製の表壁面２及び裏壁面３と、表壁面２と裏壁面３の左側面側、上面側及び底面側の周縁に挟まれる形で設けられ、収納されたカードの側面に対向する側壁面を形成するリブ部４とにより構成されている。本実施例のカードケース１Ｘにおいては、上記した表壁面２、裏壁面３及びリブ部４によってカードを収納する空間、即ち収納部２３が形成されている。そして、上面図９（ｆ）に示すように、カードケース１Ｘの右側面が開放し開口部１ａが形成されている。なお、ここで表壁面２は表壁部に、裏壁面３は裏壁部に相当する。また、リブ部４は側壁部に相当する。
【００５７】
カードケース１Ｘは、図９（ａ）におけるリブ部４の上面側に設けられ、リブ部４の内側に突出した弾性部材５を備えている。弾性部材５はゴム製であり、収納されたカードの上面をカードの下面側に押圧する。弾性部材５によって押圧されたカードは、下面側のリブ部４と弾性部材５との間に狭持されて、カードケース１Ｘ内に安定して保持される。弾性部材５は円柱形であり、その中心の穴部５ａに表壁面２及び裏壁面３に固定された軸が貫通しており、軸を中心として回転自在である。
【００５８】
次に、図９〜図１１を用いて、カードケース１Ｘをストラップなどで懸吊するための構成について説明する。ここで、図１０は、カードケース１Ｘの斜視図である。図１１は、リング状の吊着治具２０が接続された状態を示す斜視図である。本実施例２のカードケース１Ｘでは、懸吊部１０が、表壁面２及び裏壁面３の上部に形成され、懸吊部１０の表壁面２から裏壁面３を貫通して懸吊穴１０ｒが形成されている。
【００５９】
懸吊穴１０ｒは、カードケース１にストラップを装着するための吊着治具２０がベルト状のものである場合に、当該ベルト２１が貫通できるような横長のベルト貫通部１０ｄと、吊着治具が紐や金属のリング、ナスカン等である場合に、紐、リングやナスカンが貫通可能な凸状のリング貫通部１０ｅと、前記ベルト２１をループ状に固定するためのスナップ等の固定具２２を貫通可能とするため、或はリングやナスカン等の湾曲した吊着治具を容易に貫通させるためのクリアランス部１０ｆとが形成されている。また、リング貫通部１０ｅは、ベルト貫通部１０ｄの長手方向中央部に形成されている。よって、吊着治具が、ベルト状の幅広のものであっても、リング状の幅狭のものであっても、カードケース１を使用者の首に吊した状態で、カードの法線の周りに傾くことを抑制できる。ここで、ベルト貫通部１０ｄは横長穴に、リング貫通部１０ｅは凸状切欠部に、クリアランス部１０ｆは下切欠部に相当する。
【００６０】
なお、懸吊穴１０ｒを正面から見た場合の形状及びサイズは、図７に示されている懸吊穴１０ｃと同じである。但し、懸吊穴１０ｒは表壁面２から裏壁面３にかけて貫通して設けられており、表裏方向の長さが、カードケース１の懸吊部１０以外の部分と同じ長さ（厚さ）となっている。懸吊穴１０ｒの表裏方向の長さ（厚さ）は、例えば、３．０ｍｍ〜６．０ｍｍ、好ましくは４．０ｍｍ〜５．５ｍｍであり、本実施例２では、４．６ｍｍである。
【００６１】
また、懸吊穴１０ｒを第一の懸吊穴とし、この第一の懸吊穴１０ｒと水平方向に並ぶ位置にボールチェーン等が接続される第二の懸吊穴１２ｊが設けられている。なお、懸吊穴１２ｊは、二カ所に限らず、何れか一方のみに設けても良い。
【００６２】
以上、説明したとおり、本実施例２におけるカードケース１Ｘによれば、一枚または複数枚のカードを収納することができるとともに、収納するカードの厚みの合計値が収納部２３の厚み以下であれば、カードを厚み方向に押圧する力は作用しない。また、弾性部材５によって、収納されたカードの側面を押圧して反対側のリブ部４と弾性部材５とでカードの側面を挟んで固定する。よって、カードの表面に組み込まれたＩＣチップなどを傷つけることなく、カードを安定して収納することができる。一般的なカードケースでは、カードを安定して保持するために、カードケース内にカード表面を抑えるため突起を備えている場合もあるが、本実施例２ではそのような突起を必要としないので、カード表面を傷めることもない。
【００６３】
また、本実施例２のカードケース１Ｘは、懸吊穴１０ｒが、ベルト状の吊着治具を装着可能なベルト貫通部１０ｄと、該横長穴の長手方向よりも短い幅で下方に切り欠いたクリアランス部１０ｆと、有該横長穴の長手方向中央に上方へ凸状に設けられリング状の吊着治具を装着可能なリング貫通部１０ｅとを有する。このため、ベルト貫通部１０ｄの幅や高さを前記ベルト２１が貫通するのに必要十分なサイズに合わせて形成しても、前記ベルト２１の固定具２２は、クリアランス部１０ｆが形成された部分を通るため、貫通可能であり、且つベルト２１がサイズの合ったベルト貫通部１０ｄと接続されるためカードケース１Ｘが安定的に懸吊される。ここで、ベルト２１が貫通するのに必要十分なサイズとは、接続が想定されるベルトに適した所定範囲の幅及び高さであり、例えばベルトに対して±１ｍｍの幅及び高さである。更に、リングやナスカン等の湾曲した吊着治具２０であってもクリアランス部１０ｆが形成された部分を通すことで、容易に貫通させることができ
、且つ、リング状で幅狭の吊着治具２０がリング貫通部１０ｅに嵌るため、カードケース１Ｘがカードの法線の周りに傾くことを抑制できる。
【００６４】
本実施例２の懸吊穴１０ｒは、前述の図７に示す寸法をとることにより、吊着治具２０が、リング状の幅狭のものであっても、吊着治具２０がリング貫通部１０ｅに確実に嵌り、カードケース１を使用者の首に吊した状態で、カードケース１がカードの法線の周りに傾くことを抑制できる。また、吊着治具２０を通すのに必要十分な穴を確保しつつ無駄な遊びを無くして、リング状の幅狭の吊着治具２０を接続した場合でも、リング状の吊着治具２０がリング貫通部１０ｅから逸脱してカードケース１がカードの法線の周りに傾くことを抑制できる。特に、本実施例２では、懸吊穴１０ｒが、表壁面２から裏壁面３にかけて長く形成されているため、幅狭の吊着治具２０を接続した場合でも、リング貫通部１０ｅと吊着治具２０との接触面積が大きくなり、カードケース１が安定的に懸吊される。また、図１２に示すようにリング貫通部１０ｅにリング状の吊着治具２０を通した場合、吊着治具２０の下端２９がクリアランス部１０ｆの下端ｆ１に接するまで下げたとしても、吊着治具２０の内周面２８がリング貫通部１０ｅ内に位置することが多く、この状態で左右方向に外力が働いても吊着治具２０がリング貫通部１０ｅから逸脱することがない。このため、本実施例２では、多くの場合に、リング状の吊着治具２０がリング貫通部１０ｅから逸脱せず、カードケース１がカードの法線の周りに傾くことを抑制できる。
【００６５】
＜変形例＞
前記実施例１，２におけるリング貫通部１０ｅは、正面図における形状が半円或は半円の下端を垂直に延伸した形状としたが、これに限定されるものではない。図１３は、実施例１，２のリング貫通部１０ｅと変形例の説明図である。
【００６６】
図１３（Ａ）は、実施例１，２のリング貫通部１０ｅを示す正面図であり、半円状の切欠きの下端を垂直に延伸した形状である。これに対し、図１３（Ｂ）の変形例では、リング貫通部１０ｊの切欠きの幅が、上部から下部にかけて広くなるように形成されている。このようにリング貫通部１０ｊのベルト貫通部１０ｄ側の開口が広く形成されていることで、リング状で幅狭の吊着治具２０が嵌り込み易くなり、リング状の吊着治具２０がリング貫通部１０ｊから外れてベルト貫通部１０ｄ内に位置し、カードケース１がカードの法線の周りに傾いた状態となっても、カードケース１の揺れなどによって、カードケースと吊着治具が相対的に移動し、吊着治具２０がリング貫通部１０ｊに再び嵌り、カードケース１の傾きが是正される。なお、実施例１のリング貫通部１０ｅ及び実施例２のリング貫通部１０ｅの何れを図１３（Ｂ）のリング貫通部１０ｊのように構成しても良い。
【００６７】
また、図１３（Ｂ）のリング貫通部１０ｅでは、リング貫通部１０ｅの内周面ｅ１と、ベルト貫通部１０ｄの上面との接合部分に角部ｄ２を形成していた。これに対し、図１３（Ｃ）のリング貫通部１０ｋでは、リング貫通部１０ｋの内壁面（内周面）ｋ１と、ベルト貫通部１０ｄの上辺（上面）ｄ１とを所定範囲の曲率半径の曲線で接続し、接続部ｋ２を形成している。ここで、接続部ｋ２の曲率半径は、例えば０．２ｍｍ〜１．０ｍｍ、好ましくは０．４ｍｍ〜０．７ｍｍであり、本例では、０．５ｍｍである。この構成により、リング状の吊着治具２０が更にリング貫通部１０ｋに嵌り込み易くなるようにしている。
【００６８】
なお、本発明は前記実施例の構成に限定されるものではなく、本発明の目的を逸脱しない限り、上記実施例及び変形例の各要素の変更や組み合わせを行っても良い。
【符号の説明】
【００６９】
１，１Ｘ・・カードケース
２・・・表壁面
３・・・裏壁面
３ａ・・・穴部
４・・・リブ部
５・・・弾性部材
１０・・・懸吊部
１０ａ・・・ヘッド部
１０ｂ・・・変形部
１０ｃ・・・懸吊穴
１０ｄ・・・ベルト貫通部
１０ｅ・・・リング貫通部
【図１】
0006673662.tif 000002
【図２】
0006673662.tif 000003
【図３】
0006673662.tif 000004
【図４】
0006673662.tif 000005
【図５】
0006673662.tif 000006
【図６】
0006673662.tif 000007
【図７】
0006673662.tif 000008
【図８】
0006673662.tif 000009
【図９】
0006673662.tif 000010
【図１０】
0006673662.tif 000011
【図１１】
0006673662.tif 000012
【図１２】
0006673662.tif 000013
【図１３】
0006673662.tif 000014
【図１４】
0006673662.tif 000015
【図１５】
0006673662.tif 000016